(57)【要約】      （修正有）【課題】差込み部の上縁部を裂けにくくしたランドセル用カバーを提供する。【解決手段】ランドセル用カバーは、ランドセルの冠５ａの外側面を被覆する被覆面部２を有し、被覆面部２の裏面側に、カバー横方向に架け渡し、冠５ａの下端部を挿し込みできる差込み部を備え、差込み部の上縁部の両端部付近に三角形状などに切り欠いた切欠き部４を有することを特徴とし、切欠き部の最大深さは３ｍｍ〜１０ｍｍとするのが好ましい。【選択図】図５
2020018464.tif 000002
【特許請求の範囲】
【請求項１】
ランドセルの冠の外側面を被覆する被覆面部を有するランドセル用カバーであって、該被覆面部の裏面側に、カバー横方向に架け渡し、該冠の下端部を挿し込みできる差込み部を備え、該差込み部の上縁部の両端部付近に切欠き部を有するランドセル用カバー。
【請求項２】
前記切欠き部は、三角形状に切り欠いてある請求項１に記載のランドセル用カバー。
【請求項３】
前記切欠き部は、最大深さを３ｍｍ〜１０ｍｍとしてある請求項１又は２に記載のランドセル用カバー。
【請求項４】
前記カバーは、表面側をポリプロピレン樹脂、中間をエチレン・酢酸ビニル共重合樹脂、裏面側をポリエチレン樹脂とした三層構成のシートから形成してなる請求項１〜３のいずれかに記載のランドセル用カバー。
【請求項５】
前記切欠き部は、前記カバーの側端部から５ｍｍ〜３０ｍｍの位置に形成してある請求項１〜４のいずれかに記載のランドセル用カバー。
【発明の詳細な説明】
【技術分野】
【０００１】
本発明は、ランドセルの冠（かぶせ）の外側面を被覆するランドセル用カバーに関する。
【背景技術】
【０００２】
ランドセルは、小学校時代の６年間使用されるものであり、その間に古くなり傷んでくるものである。特に、ランドセルの冠は、収納部の外側を覆うものであるため、傷がつきやすく、また、雨に濡れて品質が劣化しやすい部分である。
そこで、ランドセルが傷付くことなどを防ぐため、ランドセル用カバーでランドセル全体や冠の外側面を覆うことが行われている。
【０００３】
そのようなランドセル用カバーとしては、例えば、ランドセルの冠の外側面を被覆する被覆面を有するカバーであって、被覆面は表側を塩化ビニル系合成樹脂シート、裏側をオレフィン系合成樹脂シートとしてなる重合シートにより形成し、重合シート周縁は縁取りして縫着した構成を有するランドセル用カバーがある（下記特許文献１参照）。
【０００４】
また、ランドセルの収納部の開口部を覆った蓋と収納部の開口部との隙間をランドセルの一方の側面から覆う一方側面覆い部と、ランドセルの収納部の開口部を覆った蓋と収納部の開口部との隙間をランドセルの他方の側面から覆う他方側面覆い部とを設けたランドセルカバーがある（下記特許文献２参照）。
【先行技術文献】
【特許文献】
【０００５】
【特許文献１】特開２００７−３１２８７９号公報
【特許文献２】特開２０１４−１１０８３５号公報
【発明の概要】
【発明が解決しようとする課題】
【０００６】
上記に示したランドセル用カバーは、冠の外側面を被覆面部で覆うようにして冠に装着するものである。カバーには、位置ずれしないように固定するため、下端部付近に冠の下端部を挿し込む差込み部を設けてあるものがある。差込み部は、例えば、カバーの横方向に架け渡す帯状に形成したり、カバーの下端部にポケット状に形成したりしてある。
【０００７】
冠を差込み部に挿し込む際には、差込み部の上縁部を指に引っ掛けてランドセル用カバーの被覆面部との隙間を拡げ、冠を挿入していくことになる。冠を挿入するときに、差込み部の上縁部が引っ掛かり、差込み部の上縁部、特に差込み部と被覆面部の継ぎ目付近が裂けて切れ目ができてしまうことがあった。このような切れ目が深くなると、カバーが振動により揺れ動いてしまい、しっかりと固定できなくなってしまうこともあった。さらには、差込み部が被覆面部から完全に切り裂かれてしまい、カバーとして使うことができなくなってしまうこともあった。
【０００８】
そこで、本発明の目的は、差込み部の上縁部を裂けにくくしたランドセル用カバーを提供することにある。
【課題を解決するための手段】
【０００９】
本発明の一実施形態のランドセル用カバーは、ランドセルの冠の外側面を被覆する被覆面部を有するランドセル用カバーであって、被覆面部の裏面側に、カバー横方向に架け渡し、冠の下端部を挿し込みできる差込み部を備え、差込み部の上縁部の両端部付近に切欠き部を有することを特徴とする。
【００１０】
このように、差込み部の上縁部の両端部付近に切欠き部を設けることにより、冠を挿し込む際に差込み部が引っ掛かり引っ張られたとしても上縁部が裂けにくくなり、切れ目が入り込みにくくなる。そのため、従来に比べて長年に渡り使用することができる。
【００１１】
上記形態のランドセル用カバーは、表面側をポリプロピレン樹脂、中間をエチレン・酢酸ビニル共重合樹脂、裏面側をポリエチレン樹脂とした三層構成のシートから形成してなるのが好ましい。このようにすることにより、カバーがランドセルに貼り付くことを防止しつつ、ソフトな風合いにすることができる。
【００１２】
上記形態のランドセル用カバーは、切欠き部を三角形状に切り欠くことが好ましく、また、切欠き部の最大深さを３ｍｍ〜１０ｍｍとするのが好ましい。切欠き部をこのような形状にすることにより、差込み部が裂けにくくなる。
さらに、切欠き部をカバーの側端部から５ｍｍ〜３０ｍｍの位置に形成するのが好ましい。
【図面の簡単な説明】
【００１３】
【図１】本発明のランドセル用カバーの一実施形態を示した斜視図である。
【図２】図１に示したランドセル用カバーにおいて、被覆面部裏面側の下端部を拡大した部分拡大図である。
【図３】図２のＡ−Ａ線断面図である。
【図４】図１に示したランドセル用カバーにおいて、切欠き部付近を拡大した部分拡大図である。
【図５】図１に示したランドセル用カバーを、ランドセルの冠に装着する手順を示した図である。
【図６】図１に示したランドセル用カバーを、ランドセルに装着した状態を示した図である。
【図７】比較試験に用いたランドセル用カバーを示し、（Ａ）は本発明相当品、（Ｂ）は比較品、（Ｃ）は概略寸法を示す。
【発明を実施するための形態】
【００１４】
以下、本発明のランドセル用カバーの一実施形態を図面に基づいて説明する。
【００１５】
本発明の一実施形態のランドセル用カバー１は、図１に示すように、被覆面部２と、差込み部３と、を備えるものであり、図６に示すように、ランドセル５の冠５ａに装着して冠５ａの外側面を覆うことができるものである。
【００１６】
ランドセル用カバー１は、特に限定するものではないが、ポリエチレン樹脂（ＰＥ）、ポリプロピレン樹脂（ＰＰ）などのオレフィン系樹脂、ポリ塩化ビニル樹脂（ＰＶＣ）、エチレン・酢酸ビニル共重合樹脂（ＥＶＡ）などの合成樹脂シートから形成するのが好ましい。
【００１７】
ランドセル用カバー１を合成樹脂シートから形成する場合、シートは単層でもよいが、二層、三層などの複層構成にしてもよい。例えば、表面側をポリプロピレン樹脂（ＰＰ）、中間をエチレン・酢酸ビニル共重合樹脂（ＥＶＡ）、裏面側をポリエチレン樹脂（ＰＥ）とした三層構成にすることができる。このようにすることにより、ソフトな風合いにすることができ、また、カバー１をランドセル５に装着した際、カバー１がランドセル５に貼り付くことを防止できる。
ランドセル用カバー１を形成するシートの厚みは、特に限定するものではないが、０．１ｍｍ〜１ｍｍ、特に０．２ｍｍ〜０．７ｍｍが好ましい。
また、ランドセル用カバー１は、有色、無色（透明）のいずれでもよく被覆面部２に絵柄を設けてもよい。
【００１８】
被覆面部２は、図１又は図６に示すように、ランドセル５の冠５ａの外側面を被覆するものであり、おおよそ縦幅４０ｃｍ〜５０ｃｍ、横幅２５ｃｍ〜３５ｃｍの縦長長方形シート状に形成してある。被覆面部２の裏面側の下端部付近には、差込み部３が設けてある。被覆面部２の上端部の中央付近には、円形状の孔が設けてあり、輪状にしたゴム紐などを挿し通して掛け輪２ａを形成してある。掛け輪２ａは、カバー１をランドセル５に装着した際、ランドセル５の背かん首５ｃに掛けることができるようにしてある。
【００１９】
差込み部３は、図２又は図３に示すように、カバー１の横方向に架け渡して形成してあり、ランドセル５の冠５ａの下端部を挿し込み、納めることができるようにしてある。差込み部３は、両側縁部及び下縁部を綴じたポケット状に形成し、差込み部３の上縁部３ａ側を開口部３ｂとし、ランドセル５の冠５ａを挿し込めるようにしてある。下縁部付近には、細横長矩形状に開口したスリット部３ｃを設け、ランドセル５のバックル５ｂが挿し通せるようにしてある。
本実施形態では、差込み部３をポケット状に形成してあるが、両側縁部のみを綴じた帯状に形成してもよい。また、本実施形態では、上縁部３ａを水平直線状に形成してあるが、凸状又は凹状の湾曲状に形成してもよい。
【００２０】
差込み部３を被覆面部２に固着するには、例えば、両側縁部や下縁部などをウェルダーなどで熱溶着するなどして固着することができる。なお、被覆面部２の周縁部や差込み部３の周縁部は、ウェルダーなどで熱により圧縮して縁取りをしておくのが好ましい。
【００２１】
差込み部３の上縁部３ａには、両端部付近に凹状に形成した切欠き部４が設けてある。
切欠き部４は、図４に示すように、本実施形態では、三角形状に形成してあり、カバー外側に位置する外側辺４ａを、カバー内側に位置する内側辺４ｂよりも傾斜角を急にした左右非対称状の直角乃至鈍角三角形状に形成してある。
切欠き部４の角部４ｃは、角度を７０°〜１３０°、特に８０°〜１１０°にするのが好ましく、角折れ状ではなく微小半径の円弧状に形成しておくのが好ましい。切欠き部４を左右非対称状の三角形状にした場合は、角部４ｃはカバー１の外側寄りに位置させるのが好ましい。
また、本実施形態では、外側辺４ａ及び内側辺４ｂを直線状に形成してあるが、円弧状に形成してもよく、例えば、切欠き部４をＵ字形状や弓形状などに切り欠いて形成してもよい。
【００２２】
切欠き部４は、特に限定するものではないが、図４に示すように、上縁部３ａ側の幅（図４の寸法ｗ）を、カバー１の横幅に対して１：０．０３〜１：０．１にするのが好ましく、具体的には、５ｍｍ〜３０ｍｍ、特に１０ｍｍ〜２０ｍｍにするのが好ましい。また、上縁部３ａからの最大深さ（図４の寸法ｄ）を、差込み部３の縦幅に対して１：０．００５〜１：０．０５にするのが好ましく、具体的には、２ｍｍ〜２０ｍｍ、特に３ｍｍ〜１５ｍｍにするのが好ましい。
【００２３】
切欠き部４は、特に限定するものではないが、カバー１の側端部からの水平方向の位置（図４の寸法ｘ）を、カバー１の側端部からカバー１の横幅に対して１：０．０３〜１：０．１の位置に設けるのが好ましく、具体的には、カバー１の側端部から５ｍｍ〜３０ｍｍの位置に設けるのが好ましく、特に１０ｍｍ〜２５ｍｍの位置に設けるのが好ましい。
【００２４】
カバー１を、ランドセル５に取り付けるには、図５に示すように、差込み部３の上縁部３ａに指などを掛けて開口部３ｂを拡げ、開口部３ｂに冠５ａの下端部を挿し込み、バックル５ｂをスリット部３ａに挿し通して下方に露出させる。その後、被覆面部２を冠５ａの外側面を覆うようにして被せていき、カバー１の上端部に設けた掛け輪２ａをランドセル５の背かん首５ｃに掛け、図６に示すように、カバー１をランドセル５に取り付けることができる。
【００２５】
従来では、カバー１をランドセル５に取付ける際、冠５ａが差込み部３の上縁部に掛り、上縁部が引っ張られて裂かれやすく、特に差込み部３と被覆面部２との継ぎ目が裂かれやすくなり、大きな切れ目ができやすくなるものであった。
本発明のカバー１は、差込み部３の上縁部に切欠き部４を設けたため、上縁部が裂かれにくくなり、切れ目ができにくくなる。これは、切欠き部４を設けたことにより、上縁部３ａにかかる引張力を適度に吸収するためであると思料される。
【００２６】
ランドセル用カバー１を用いて耐久試験を行った。
図７（Ａ）、（Ｂ）に示すように、表面側をポリプロピレン樹脂、中間をエチレン・酢酸ビニル共重合樹脂、裏面側をポリエチレン樹脂とした三層構成のシート（厚み０．３μｍ）からなるランドセル用カバーを作製して比較試験を行った。
図７（Ａ）に示すカバーは、本発明に相当するものであり、差込み部の上縁部の両端部側に切欠き部を設けたものである。このカバーの概略寸法は図７（Ｃ）に示すとおりである。
図７（Ｂ）に示すカバーは、切欠き部を設けない以外は図７（Ａ）のカバーと同形状としてある。
【００２７】
図７（Ａ）及び（Ｂ）に示すカバーそれぞれに、カバーの上端部中間部にクリップを挟み、差込み部の上縁部中間部にフックを引っ掛け、それぞれを反対方向に引っ張り、カバーが切り裂かれるまでの耐荷重を測定した。
測定した結果、図７（Ａ）に示すカバーは、４４６Ｎ以上の荷重に耐えたのに対し、図７（Ｂ）に示すカバーは、２７０Ｎを超える荷重で裂け始めてしまった。
【００２８】
上記実施形態の構成態様は、本発明を限定するものとして挙げたものではなく、技術目的を共通にするかぎり変更は可能であり、本発明はそのような変更を含むものである。
【符号の説明】
【００２９】
１ランドセル用カバー
２被覆面部
２ａ掛け輪
３差込み部
３ａ上縁部
３ｂ開口部
３ｃスリット部
４切欠き部
４ａ外側片
４ｂ内側片
４ｃ角部
５ランドセル
５ａ冠
５ｂバックル
５ｃ背かん首
【図１】
2020018464.tif 000003
【図２】
2020018464.tif 000004
【図３】
2020018464.tif 000005
【図４】
2020018464.tif 000006
【図５】
2020018464.tif 000007
【図６】
2020018464.tif 000008
【図７】
2020018464.tif 000009